【手続補正書】
【提出日】平成21年6月23日(2009.6.23)
【手続補正１】
【補正対象書類名】明細書
【補正対象項目名】特許請求の範囲
【補正方法】変更
【補正の内容】
【特許請求の範囲】
【請求項１】  グループ統括会社の金融部門あるいはグループ内銀行が、前記グループ会社の約束手形による支払いに代わる債権譲渡に対する債権譲渡代金の支払いの管理を統括するためにもちいるファクタリング管理装置であって、
前記債権譲渡にかかる債権者の情報処理端末装置からネットワークを介して前記債権譲渡に対する債権譲渡代金に関する情報を受信する債権譲渡代金情報受信手段と、
前記債権譲渡代金情報受信手段によって受信された債権譲渡代金に関する情報に基づいて、前記グループ統括会社の金融部門あるいはグループ内銀行に各前記グループ会社ごとに設けられた口座から、所定の金額を出金するように当該口座の金額情報を制御する出金手段と、
を備えたことを特徴とするファクタリング管理装置。
【請求項２】  さらに、前記債権者の情報処理端末装置から前記ネットワークを介して前記債権譲渡代金の受け取り方法に関する情報を受信する債権譲渡代金受け取り方法情報受信手段と、
前記債権譲渡代金情報受信手段によって受信された債権情報と、前記債権譲渡代金受け取り方法情報受信手段によって受信された債権譲渡代金の受け取り方法に関する情報とに基づいて、前記債権者への支払金額を決定する支払金額決定手段と、
を備えたことを特徴とする請求項１に記載のファクタリング管理装置。
【請求項３】  前記支払金額決定手段によって決定された支払金額を、前記債権者ごとに集計する集計手段を備えたことを特徴とする請求項２に記載のファクタリング管理装置。
【請求項４】  前記債権譲渡代金に関する情報および前記債権譲渡代金受け取り方法に関する情報を含む前記各債権者ごとの債権譲渡の実績に関する債権譲渡実績情報と、信用調査機関によって評価された前記各債権者の格付に関する情報との少なくともいずれか一方を記憶する債権者情報記憶手段を備えたことを特徴とする請求項２または３に記載のファクタリング管理装置。
【請求項５】  前記債権者情報記憶手段に記憶された情報を、前記グループ会社の全部または一部の情報処理装置に送信する債権者情報送信手段を備えたことを特徴とする請求項４に記載のファクタリング管理装置。
【請求項６】  前記支払金額決定手段は、前記債権者情報記憶手段に記憶された情報に基づいて、前記債権者への支払い金額を決定することを特徴とする請求項４または５に記載のファクタリング管理装置。
【請求項７】  グループ統括会社の金融部門あるいはグループ内銀行が複数のグループ会社の資金管理を統括するためにもちいる資金管理装置と、前記グループ統括会社の金融部門あるいはグループ内銀行が、各前記グループ会社の約束手形による支払いに代わる債権譲渡に対する債権譲渡代金の支払いの管理を統括するためにもちいるファクタリング管理装置と、を含む資金管理システムであって、
前記資金管理装置が、
各前記グループ会社の入金情報および出金情報を各前記グループ会社の情報端末装置から受信する受信手段と、
前記受信手段によって受信された入金情報および出金情報に基づいて所定期間ごとのゼロバランス決済を各前記グループ会社ごとにおこない、決済金の金額情報を算出するゼロバランス決済手段と、
前記グループ統括会社の金融部門あるいはグループ内銀行内に各前記グループ会社ごとに設けられた口座であって、前記所定期間の経過後に前記ゼロバランス決済手段によって算出された決済金の金額がプラスの場合には預り金として前記決済金の消しこみをおこなうように預り金口座の金額情報を制御する預り金口座制御手段と、
前記グループ統括会社の金融部門あるいはグループ内銀行内に各前記グループ会社ごとに設けられた口座であって、前記所定期間の経過後に前記ゼロバランス決済手段によって算出された決済金の金額がマイナスの場合には融資金として前記決済金の消しこみをおこなうように融資金口座の金額情報を制御する融資金口座制御手段と、
を備え、
前記ファクタリング管理装置が、
前記債権譲渡にかかる債権者の情報処理端末装置からネットワークを介して前記債権譲渡に対する債権譲渡代金に関する情報を受信する債権譲渡代金情報受信手段と、
前記債権譲渡代金情報受信手段によって受信された債権譲渡代金に関する情報に基づいて算出した所定の金額を出金情報として前記資金管理装置へ送信する送信手段と、
を備えたことを特徴とする資金管理システム。
【請求項８】  前記請求項１〜６のいずれか一つに記載のファクタリング管理装置または前記請求項７に記載の資金管理システムと、前記グループ統括会社の金融部門あるいはグループ内銀行の情報端末装置と、前記複数のグループ会社の情報端末装置と、がインターネットまたはエクストラネットなどのネットワークで接続されることを特徴とするグループ資金管理システム。
【請求項９】  債権譲渡代金情報受信手段と、出金制御手段と、を備えたコンピュータをもちいて、グループ統括会社の金融部門あるいはグループ内銀行が、前記グループ会社の約束手形による支払いに代わる債権譲渡に対する債権譲渡代金の支払いの管理を統括するためにもちいるファクタリング管理方法であって、
前記債権譲渡代金情報受信手段が、債権者の情報処理端末装置からネットワークを介して前記債権譲渡に対する債権譲渡代金に関する情報を受信する債権譲渡代金情報受信工程と、
前記出金制御手段が、前記債権譲渡代金情報受信工程によって受信された債権譲渡代金に関する情報に基づいて、前記グループ統括会社の金融部門あるいはグループ内銀行に各前記グループ会社ごとに設けられた口座から、所定の金額を出金するように当該口座の金額情報を制御する出金工程と、
を含んだことを特徴とするファクタリング管理方法。
【請求項１０】  債権譲渡代金情報受信手段と、債権譲渡代金受け取り方法情報受信手段と、支払金額決定手段と、出金制御手段と、を備えたコンピュータをもちいて、グループ統括会社の金融部門あるいはグループ内銀行が、前記グループ会社の約束手形による支払いに代わる債権譲渡に対する債権譲渡代金の支払いの管理を統括するためにもちいるファクタリング管理方法であって、
債権譲渡代金情報受信手段が、債権者の情報処理端末装置からネットワークを介して前記債権譲渡に対する債権譲渡代金に関する情報を受信する債権譲渡代金情報受信工程と、
債権譲渡代金受け取り方法情報受信手段が、前記債権者の情報処理端末装置から前記ネットワークを介して前記債権譲渡代金の受け取り方法に関する情報を受信する債権譲渡代金受け取り方法情報受信工程と、
支払金額決定手段が、前記債権譲渡代金情報受信工程によって受信された債権情報と、前記債権譲渡代金受け取り方法情報受信工程によって受信された債権譲渡代金の受け取り方法に関する情報とに基づいて、前記債権者への支払金額を決定する支払金額決定工程と、
出金制御手段が、前記債権譲渡代金情報受信工程によって受信された債権譲渡代金に関する情報に基づいて、前記グループ統括会社の金融部門あるいはグループ内銀行に各前記グループ会社ごとに設けられた口座から、所定の金額を出金するように当該口座の金額情報を制御する出金工程と、
を含んだことを特徴とするファクタリング管理方法。
【請求項１１】  前記コンピュータが、集計手段を備え、前記集計手段が、前記支払金額決定工程によって決定された支払金額を、前記債権者ごとに集計する集計工程を含んだことを特徴とする請求項１０に記載のファクタリング管理方法。
【請求項１２】  前記コンピュータが、債権者情報送信手段を備え、前記債権者情報送信手段が、前記債権譲渡代金に関する情報および前記債権譲渡代金受け取り方法に関する情報を含む前記各債権者ごとの債権譲渡の実績に関する情報債権譲渡実績情報と、信用調査機関によって評価された前記各債権者の格付に関する情報との少なくともいずれか一方を、各前記グループ会社の全部または一部の情報処理装置に送信する債権者情報送信工程を含んだことを特徴とする請求項９〜１１のいずれか一つに記載のファクタリング管理方法。
【請求項１３】  前記支払金額決定工程は、前記債権譲渡代金に関する情報および前記債権譲渡代金受け取り方法に関する情報を含む前記各債権者ごとの債権譲渡の実績に関する情報債権譲渡実績情報と、信用調査機関によって評価された前記各債権者の格付に関する情報との少なくともいずれか一方に基づいて、前記債権者への支払金額を決定することを特徴とする請求項９〜１１のいずれか一つに記載のファクタリング管理方法。
【請求項１４】  受信手段と、ゼロバランス決済手段と、預り金口座制御手段と、を備えたコンピュータをもちいて、グループ統括会社の金融部門あるいはグループ内銀行が複数のグループ会社の資金管理を統括する資金管理方法であって、
前記受信手段が、各前記グループ会社の入金情報および出金情報を各前記グループ会社の情報処理装置から受信する受信工程と、
前記ゼロバランス決済手段が、前記受信工程によって受信された入金情報および出金情報に基づいて所定期間ごとのゼロバランス決済を各前記グループ会社ごとにおこない、決済金の金額情報を算出するゼロバランス決済工程と、
前記預り金口座制御手段が、前記所定期間の経過後に前記ゼロバランス決済工程によって算出された決済金の金額がプラスの場合に、前記グループ統括会社の金融部門あるいはグループ内銀行内に各前記グループ会社ごとに設けられた預り金口座に対して預り金として前記決済金の消しこみをおこなう消しこみ工程と、
を含み、
前記出金情報には、前記グループ統括会社の金融部門あるいはグループ内銀行が、各前記グループ会社の約束手形による支払いに代わる債権譲渡に対する債権譲渡代金の支払いに関する情報を含むことを特徴とする資金管理方法。
【請求項１５】  受信手段と、ゼロバランス決済手段と、融資金口座制御手段と、を備えたコンピュータをもちいて、グループ統括会社の金融部門あるいはグループ内銀行が複数のグループ会社の資金管理を統括する資金管理方法であって、
前記受信手段が、各前記グループ会社の入金情報および出金情報を各前記グループ会社の情報処理装置から受信する受信工程と、
前記ゼロバランス決済手段が、前記受信工程によって受信された入金情報および出金情報に基づいて所定期間ごとのゼロバランス決済を各前記グループ会社ごとにおこない、決済金の金額情報を算出するゼロバランス決済工程と、
前記融資金口座制御手段が、前記所定期間の経過後に前記ゼロバランス決済工程によって算出された決済金の金額がマイナスの場合に、前記グループ統括会社の金融部門あるいはグループ内銀行内に各前記グループ会社ごとに設けられた融資金口座に対して融資金として前記決済金の消しこみをおこなう消しこみ工程と、
を含み、
前記出金情報には、前記グループ統括会社の金融部門あるいはグループ内銀行が、各前記グループ会社の約束手形による支払いに代わる債権譲渡に対する債権譲渡代金の支払いに関する情報を含むことを特徴とする資金管理方法。
【請求項１６】  前記請求項９〜１５のいずれか一つに記載された方法をコンピュータに実行させるプログラム。